(57)【要約】    【課題】  所期の洗浄性能が得られる中で、洗浄槽等を大型化することなく食器かごにセットできる食器点数の増加を図る。    【解決手段】  洗浄槽４内に食器類をセットした上かご６及び下かご７を、上下２段に配設し夫々出し入れ可能に収容するとともに、収容された前記上かご６と下かご７との間にあって、下かご７にセットされた食器類の肩越しスペースＡ１〜Ａ４に、他の食器類をセット可能な食器支持部３５を設けた構成とする。    【選択図】  図１
2005124625.tif 000002
【特許請求の範囲】
【請求項１】
洗浄槽内に食器類をセットした食器かごを、上下２段に配設し上かご及び下かごとして夫々出し入れ可能に収容するとともに、収容された前記上かごと下かごとの間にあって、下かごにセットされた食器類の肩越しスペースに他の食器類をセット可能な、食器支持部を設けたことを特徴とする食器洗浄機。
【請求項２】
洗浄槽内に食器類をセットした食器かごを、上下２段に配設し上かご及び下かごとして夫々出し入れ可能に収容するとともに、収容された前記上かごと下かごとの間にあって、下かごには食器類を２列配置にセット可能とし、その中間位置の上方スペースに他の食器類をセット可能な、食器支持部を設けたことを特徴とする食器洗浄機。
【請求項３】
食器支持部は、下かごの縁部に立設したことを特徴とする請求項２記載の食器洗浄機。
【請求項４】
食器支持部は、複数の食器類を中間位置方向に沿ってセットできるようにしたことを特徴とする請求項２記載の食器洗浄機。
【請求項５】
食器支持部は、食器類を間隔を置いてセットできるようにしたことを特徴とする請求項３記載の食器洗浄機。
【発明の詳細な説明】
【技術分野】
【０００１】
本発明は、食器点数の増加を図った食器洗浄機に関する。
【背景技術】
【０００２】
一般に、食器洗浄機に備えられた食器かごは、確実に洗浄できることを条件に洗浄すべき食器類をできるだけ多く配列支持し、所謂セットできることが求められている。特に、食器洗浄機をキッチンのシンク上に設置して使用するコンパクトタイプでは、スペース的に制約を受ける中で効率良く多数の食器類をセットできることが強く望まれている。この背景には、例えば６人家族での使用可能を想定し、標準的な食器として、通常大中小の各皿、茶わん、汁わん、湯のみ及びコップ、小鉢等の組み合わせが考えられ、他に箸やスプーン等の小物はもとより、包丁や鍋などの調理器具も洗浄可能としたものが考えられている。そのうち、茶わんや汁わんを除けば個人でも複数個使用するとともに、共用に使用する食器類や取り出し皿などを考慮すると、昨今のコンパクト化指向の中で如何に多くの食器類をセットできるかは重要な課題の一つとなっている。
【０００３】
そこで従来、例えば食器かごの片側上方に回動可能な棚を設けて、必要に応じ当該棚を展開してコップや湯呑み等を載置し、より多くの食器類を洗浄可能としている（例えば、特許文献１参照）。
【特許文献１】特開２００１−２３１７３７号公報  （第４，５頁、図１）
【発明の開示】
【発明が解決しようとする課題】
【０００４】
しかしながら、上記特許文献１記載のものでは棚自体の大きさや形状において、回動する構成上およびスペース的にも大きな制約を受け、１回で洗浄できる洗浄容量である食器かご内に収容できる食器点数については十分とは言えない。そこで、その対策として例えば、洗浄槽内に上下２段に略同容量の食器かごを配設することが考えられる。これによれば、食器点数の増大は見込めるが、限られた洗浄槽内のスペースにあって、特に上段にセットされた食器類に対して本来の洗浄性能が維持できるかが大きな問題となってくる。
【０００５】
本発明は上記問題点を解決するため、食器かごを上下２段に配設した上で、更により多くの食器類をセットできるとともに、所望の洗浄性能が確保できるようにした食器洗浄機を提供することを目的とする。
【課題を解決するための手段】
【０００６】
上記目的を達成するために本発明による食器洗浄機は、洗浄槽内に食器類をセットした食器かごを、上下２段に配設し上かご及び下かごとして夫々出し入れ可能に収容するとともに、収容された前記上かごと下かごとの間にあって、下かごにセットされた食器類の肩越しスペースに他の食器類をセット可能な、食器支持部を設けたことを主たる特徴とするものである。
【発明の効果】
【０００７】
本発明の食器洗浄機によれば、上下２段に多くの食器類を収納できる上に、肩越しスペースを有効活用して他の食器類をセット可能な食器支持部を設けたので、洗浄性能の低下を抑えながら且つコンパクト構成のもとに、より多くの食器点数をセット可能とし実用に至便な食器洗浄機を提供できる。
【発明を実施するための最良の形態】
【０００８】
（第１の実施の形態）
以下、本発明の第１実施例を示す図１ないし図４を参照して説明する。
そのうち、図１は要所を切断して示す側面図、図２は後述する扉３を除去した状態の正面図、図３は異なる要所を切断して示す図１相当図で、これらを参照して食器洗浄機全体の概略構成につき説明する。１は食器洗浄機本体で、その外殻を構成する外箱２と、これの前面部に設けた扉３とを備え、内部には洗浄槽４と、その下部に洗浄機構部５等を具備した構成としている。
【０００９】
そして、洗浄槽４内には詳細は後述するが食器かごとして上下２段に個々に配設された上かご６及び下かご７を収容し、また本体１前面の下部には特には図２に示すように操作パネル８が設けられ、食器洗浄機の運転コースの設定や、運転スタートおよび停止等に係る各種の操作キー８ａを備えている。尚、この操作パネル８の裏側には、マイクロコンピュータ等からなる制御装置１１を装備していて、これは上記操作パネル８による操作入力等に基づき、食器洗浄機の運転全般を制御する。
【００１０】
今少し具体的に述べると、前記扉３は下端部を支点に回動する下扉３ａと、上端部を支点に回動する上扉３ｂとからなり、そのうちの下扉３ａには図示しない扉ロック機構と連動する構成にあって、そのロック解除ボタン９及び取っ手１０とを設けている。従って、扉３を開放する場合には、ロック解除ボタン９を押しながら取っ手１０を手前に引けば、下扉３ａが下方に回動して開き、それに連動して上扉３ｂが上方に回動して、本体１の前面たる洗浄槽４の前面開口を大きく開放することができ、以って食器かごを容易に出し入れ可能としている。
【００１１】
また、前記外箱２内の大きな空間を占める洗浄槽４は、その前面開口を前記した扉３により水密に閉鎖され、その底部に前記した洗浄機構部５を配設している。この洗浄機構部５は、洗浄ポンプ１２とこれを駆動するポンプモータ１３、及び後述する噴射体１５を具備してなり、併せて洗浄ポンプ１２と同軸上に並設した排水ポンプ１４も上記ポンプモータ１３にて共通に駆動されるようにしている。そのための駆動制御手段として、ポンプモータ１３に正逆回転可能なモータを用い、例えば時計回りの正転時には洗浄ポンプ１３が正常にポンプ機能する一方、排水ポンプ１４は有効に機能せず、また逆転時には排水ポンプ１４が正常にポンプ機能して機外に排水できるが、洗浄ポンプ１２は有効に機能しないように、ポンプランナーの形状若しくはクラッチ機構を備えた構成としている。
【００１２】
このように、洗浄槽４の外底部の洗浄ポンプ１２に対し、洗浄槽４の内底部には回転可能な噴射体１５が軸筒部１６を介して連通支持され、該軸筒部１６は前記洗浄ポンプ１２の吐出側に連通接続され、以って洗浄機構部５として機能する構成にある。そして、洗浄ポンプ１２の吸入側は、接続管１７を介して洗浄槽４の最低部位である凹所４ａに連通接続され、従って、例えば洗浄運転時には洗浄機構部５の駆動に伴ない、洗浄槽４内に供給された洗浄水は、凹所４ａから洗浄ポンプ１２を介して噴射体１５に圧送され、該噴射体１５から洗浄槽４内の主に上方に向けて噴射されるとする、洗浄水の循環を繰り返し行なう。この場合、噴射体１５は洗浄水を斜め横方向に噴射するときの反動を利用して一方回転するようにしている。
【００１３】
その他、詳細な説明は省略するが洗浄槽４の内底部には、洗浄水の加熱や乾燥運転時に取り込んだ外気を加熱温風化するためのヒータ１８を備え、また外側壁には送風用のブロワー１９、給水用の給水弁２０、所定水位を検知する例えばフロート式の水位スイッチ２１を具備し、いずれも洗浄槽４内に連通して設けられている。
次いで、食器かごとして洗浄槽４内に上下２段に配設された上かご６及び下かご７につき具体的に述べると、これらはワイヤを組んで矩形枠状に形成され、前記したように扉３の開放により前面から出し入れ可能に、いずれも前後方向にスライド可能に支持されている。そのスライド支持手段としては、まず上かご６の支持手段につき図２に基づき説明すると、洗浄槽４の左右両側壁に前後方向に延びるレール部材２２が固定的に設けられている。
【００１４】
これに対し上かご６には、その左右両側にスライド部材２３が装着され、該スライド部材２３の外側面には上下に複数段の例えば３段階の溝部２３ａ，２３ｂ，２３ｃが形成されており、該溝部２３ａ〜２３ｃの個々に前記レール部材２２がスライド可能に係合する構成としている。従って、これら溝部２３ａ〜２３ｃのいずれかを選択してレール部材２２とスライド可能に係合させることで、上かご６の収容位置を３段階にわたり高さ調節可能としている。
【００１５】
因みに、図２に示す実施例ではレール部材２２が最上位の溝部２３ａと係合しており、上かご６としては最低位置に収容された状態を示している。この場合、当該上かご６と洗浄槽４の天井面との上下間のスペースが大きく、背の高い食器類等をセットするに好都合である。一方、最下位の溝部２３ｃをレール部材２２に係合した場合には、上かご６は最高位置に収容支持された態様となり、下方の空間スペースを大きくして後述する下かご７に背の高い食器類をセットするに好都合となる。
【００１６】
尚、本実施例に示す上かご６は、左側半分を深底形態とし右側半分を浅底形態とする段違い構成にあって、該上かご６が上記最低位置に収容されていることと相俟って、深底側には食器類として例えば大きな鍋２４をセット可能としており、浅底側には複数のコップ２５をセット可能としている。
このような上かご６に対し、下かご７は洗浄槽４内に収容された状態では前記噴射体１５の若干上方位置である所定高さ位置に保持され、全体構成として浅底枠状に形成され前後方向にスライド可能に支持されている。そのスライド支持手段は、やはり洗浄槽４下部の左右両側壁にレール部材２６が固定的に設けられ、一方下かご７の両側下部にはスライド部材２７が装着され、このスライド部材２７が前記レール部材２６上に載置支持されることで、当該下かご７を前後方向にスライド可能に支持している。
【００１７】
そして、斯かる下かご７には、特に図２に示すように左側のほぼ半分には複数の茶わん２８ａや汁わん２８ｂ（後述する図４参照）を横方向に２列（図１参照）に並べてセットし、右側の半分には長寸のスプーン２９や箸３０等を収納した筒状の小物入れ３１を立設保持し、及び複数の皿３２を横１列で中央位置（図３参照）に並べてセットしている。その皿３２のうち、図２では径大な大皿３２ａと、やゝ径大な中皿３２ｂを立設状態に配置しセットしている。
【００１８】
このような食器かごにおける上記食器類を、着脱容易に支持するセット手段としては、前記上かご６では、その底部に鍋２４やコップ２５を載置支持する構成にあり、これに対し下かご７の左側では、その底部から逆ハ字状（図１参照）に起立した比較的短寸の食器支え３３を複数たる２列に配設していて、これら各食器支え３３は図２に示すように長短をなす第１，第２の支え３３ａ，３３ｂを一対として構成されている。従って、これら各支え３３ａ，３３ｂ間に個々の茶わん２８ａや汁わん２８ｂが挟持されるように配列支持されセットされる。
【００１９】
そして、同右側においては底部から逆ハ字状に起立した長寸の食器支え３４を横１列に複数配設していて、これら食器支え３４間に皿３２が立設状態に保持されセットされている。この場合、本実施例では図２からも明らかとなるように、前記上かご６は底部が段違い構成にあって、例えば右側は上位の浅底形態であるため、その下方スペースは大きく確保できる。このことは、該スペースに対応する下かご７の右側には径大な皿３２や長寸のスプーン２９、更には図示しないが麦茶用ボトルとか、おたまや菜箸等を余裕をもってセット可能としている。
【００２０】
斯くして上記構成の下かご７は、段違い構成の上かご６との組み合わせにより多種多様な食器類を効率よくセット可能とする利便性を有しているものの、食器点数を増加する点については必ずしも明確でない。そこで、本実施例では当該下かご７には、更に食器支持部３５を付設し、特には薄形状で径小な、例えば直径が１２ｃｍほどの小皿３６を保持するに好適なセット手段を設けている。以下、この食器支持部３５の具体構成につき、図４の下かご７の要部を示す平面図も参照して説明する。
【００２１】
まず、この食器支持部３５の配設部位は、特に図４の平面図に示すように下かご７の左側のスペース領域において、前記食器支え３３を２列配置したその中間位置に、短寸の食器支え３７を横１列に複数配設している。この中間位置は、下かご７に茶わん２８ａ及び汁わん２８ｂを２列にセットした状態で、それらの間に隙間Ｓが確保されている。この隙間Ｓは、主に下かご７の下方の噴射体１５からの噴射水が上方に抜け易くして、上かご６にセットされた食器類を有効に洗浄できるようにするために形成されている。
【００２２】
しかして、この隙間Ｓを有効活用して上記食器支え３７を配設しているが、その隙間Ｓの大きさは、食器類として上記した小皿３６であってもこれを配置するほどの間隙はないので、該食器支え３７は具体的には図１に示すように隙間Ｓの上方において、二点鎖線で示す上方スペースＡに配設されている。尚、この上方スペースＡの詳細については後述するが、これは下かご７の左側にセットされた食器類たる茶わん２８ａ及び汁わん２８ｂの上方にあって、上かご６の底部との間に形成されたスペースを指している。
【００２３】
次いで、上記食器支持部３５の具体構成につき述べると、これは図１，２に示すように下かご７の底部から隙間Ｓを利用して２本のワイヤを平行に起立して設け、所定高さ位置でやや拡開して水平状態となしたブリッジ状の支脚部３８を有し、その水平部分に略直上に起立した長寸の第１の食器支え３７ａと短寸の第２の支え３７ｂを一対としてなる食器支え３７を横１列に複数設けた構成としている。尚、これを以って小皿３６は、上記食器支え３７に挟持されるように立設状態にセット可能となるが、当該食器支え３７は各小皿３６間に隙間を有するように十分に間隔を置いてセットできるよう配設されている。
【００２４】
しかるに、食器支え３７が位置する上方スペースＡについて述べると、これは図１に基づき述べたように大略的には上かご６と、下かご７の食器類たる茶わん２８ａ及び汁わん２８ｂとの間のスペース領域にあるが、具体的に述べると上限は上かご６の底部の水平な略平坦面状をなしているのに対し、下限では食器類の外郭形状に沿った凹凸状をなしている。このような上方スペースＡの背景には、下かご７にセットされた食器類に対し、上かご６が若干のスペースを介して対峙した方が、下方から噴射された洗浄水が上かご６の食器類にむらなく噴き付けるに有効であること、及び下かご７の食器類としては一般的に円形状をなすのが圧倒的に多いことに基づき、これら食器類の肩越しに窪んだ小スペースが常に形成される事情がある。
【００２５】
例えば、本実施例の如く茶わん２８ａや汁わん２８ｂをセットするに好適な下かご７の構成にあっては、その図１中に示すように上下方向の若干のスペースに加え、これら食器類の肩越しに形成される複数の小スペースを主体とした、所謂肩越しスペースＡ１，Ａ２，Ａ３，Ａ４が形成される。そして、この肩越しスペースＡ１〜Ａ４の集合体が前記上方スペースＡを形成するものである。
【００２６】
因みに、本実施例では小皿３６をセットする食器支え３７は、２つの肩越しスペースＡ２，Ａ３が集合し且つ２列の中間位置の隙間Ｓに対応した最も広い領域を利用して、他の食器類と極力重複しないよう配列支持できるようにしている。
尚、このような肩越しスペースＡ１〜Ａ４は、下かご７の左側のみに形成されるものではなく、例えば図３に示すように右側の大皿３２ａを１列に配列セットした場合も、その両肩越しの２箇所に肩越しスペースＢ１，Ｂ２が形成される。しかるに、この大皿３２ａの場合では、肩越しスペースＢ１，Ｂ２は当該大皿３２ａにより略中央部分で分断された形態をなすが、例えば中皿３２ｂ以下の径小な食器類の場合には、上下方向のスペースも付加されて連続した肩越しスペースＢ１，Ｂ２が形成される。但し、いずれにしても肩越しスペースＢ１，Ｂ２における上下方向のスペースとしては、連続，非連続に係わらず格別な差異を生ずるものではなく、やはりこれら肩越しスペースＢ１，Ｂ２も、下かご７と上かご６との間に、上方スペースＡと同様の趣旨にて形成される別の上方スペースＢを形成するものと言える。
【００２７】
次に、上記構成の食器洗浄機の作用について説明する。
まず、図１〜図３には、洗浄槽４内に上下２段に配設した上，下かご６，７に所定の食器類がセットされた状態を示しており、この状態にて運転スタートすることにより周知の如く選択された運転コースを制御装置１１に記憶されたプログラムや、水位スイッチ２１等の入力信号を受けて洗い行程、すすぎ行程、乾燥行程等が自動的に実行される。
【００２８】
そのうちの洗い行程において、特には食器支持部３５を付設した下かご７にセットされた食器類の洗浄作用について述べる。この洗い行程の洗浄動作は通常行なわれているように、洗浄機構部５が駆動され洗浄ポンプ１２から圧送された洗浄水が、噴射体１５から勢いよく主に斜め上方に向けて噴射され、且つ噴射反動により噴射体１５が自転して、洗浄水を上方にむらなく噴射する。これにより、直上の下かご７に通常にセットされた食器類（実施例では茶わん２８ａ，汁わん２８ｂ，皿３２，スプーン２９等の小物）はもとより、これら食器間を上方に抜け出た洗浄水にて、上かご６内にセットされた鍋２４やコップ２５等の食器類の洗浄が行なわれる。
【００２９】
しかるに、下かご７に付設された食器支持部３５にセットされた食器類、即ち実施例に謂う径小な小皿３６は、上かご６との間の上方スペースＡを有効活用して配置され、隣接する他の食器類と重複することなくセットできる。具体的には小皿３６は、茶わん２８ａと汁わん２８ｂとの２列の中間に位置して、これら食器類間の隙間Ｓに対応した上方スペースＡにあって、最も広い領域となる連続した肩越しスペースＡ２，Ａ３内に配列支持されている。従って、隙間Ｓを通り抜けた噴射洗浄水は上方に抜け易く、食器支持部３５にセットされた小皿３６を有効に洗浄できるとともに、各小皿３６は、間隔を置いて食器支え３７に支持されているので、該隙間Ｓを通り抜けた洗浄水が上かご６側の食器洗浄にも有効に機能するものである。
【００３０】
尚、食器かごにセットされた食器類は、夫々上かご６及び下かご７を必要な位置まで引き出して取り出せばよいし、特に下かご７では中間の横１列に食器支持部３５を付設したので、奥側の汁わん２８ｂの出し入れする際には、該下かご７を、洗浄槽４の前面開口から水平位置まで開放した下扉３ａ上に適宜引き出すことで、大きな前面開口から簡単に着脱操作できる。その他、上かご６の段違い構成との組み合わせで上，下かご６，７に異なる高さなどの多種多様の食器類を効率よくセットできて、効果的に洗浄できることは云うまでもない。
【００３１】
以上説明したように、本実施例によれば次の効果を有する。
食器かごを、上下２段に配設した上かご６と下かご７とから構成して、多数の食器点数を洗浄可能にした上で、下かご７の上方に上かご６との間に形成される上方スペースＡを活用して、ここに別の径小な食器類（小皿３６）を追加セットできる食器支持部３５を配設した。この結果、隣接する他の食器類と極力重合することなく配置でき、有効に洗浄できるもとに食器点数の増大を図ることができる。また、上記上方スペースＡは、下かご７にセットされた食器類（茶わん２８ａ、汁わん２８ｂ）が一般的に円形状をなすものが多いことから、その食器類の肩越しに形成される肩越しスペースＡ１〜Ａ４の集合体から構成でき、洗浄槽４や本体１を大型化することなく形成できて有効活用できる点でも有利である。
【００３２】
特に、本実施例で示すように食器支持部３５を上方スペースＡを構成するうちの、下かご７に２列に配置した食器類（茶わん２８ａ、汁わん２８ｂ）の中間位置にあって、その隙間Ｓの上方たる連続した２箇所の肩越しスペースＡ２，Ａ３に配設したので、広い領域に食器類をセットでき、制約を受ける槽内スペースの中で最大限大きな食器類、例えば直径が約１２ｃｍほどの小皿３６をセット可能としている。しかも、横１列に間隔を置いて配列支持するようにしたので、噴射洗浄水の流れも良好で上部の上かご６の食器類ともども効果的に洗浄できる。
【００３３】
尚、上方スペースＡとしては、本実施例では下かご７の左側にセットした比較的径小な茶わん２８ａ等の上方に形成されるものとして述べたが、これ以外にも形成可能である。例えば、上記したように上方スペースＡは、セットされた食器類の肩越しに形成されるスペースを主体としたものであることから、本実施例において図３に示したように横１列に配列支持した背の高い食器類（皿３２）の肩越しにも肩越しスペースＢ１，Ｂ２が形成され、所謂形態は異なるが同趣旨の上方スペースＢが構成される。従って、該肩越しスペースＢ１，Ｂ２は、上記した肩越しスペースＡ１，Ａ４に相当する部位で、これらは中間部位の連続した肩越しスペースＡ２，Ａ３よりも若干小領域となるものの、この場合には更に径小な極小皿、例えば手塩皿の如き直径が約１０ｃｍ以下の食器類を支持する食器支持部を設けることが可能である。
【００３４】
また、本実施例における上かご６は、段違い構成に加えて高さ調節可能なスライド手段を採用しているので、上かご６をこれにセットする食器類によっては上位に収容配置して、下かご７との間の上方スペースＡ或いはＢの領域を大きくして利用することも可能であり、これにより余裕あるスペースにて洗浄性能を高め得たり、前記した小皿３６より径大な食器類の洗浄も可能にしたりするなどの展開が可能である。
【００３５】
（第２の実施の形態）
上記に対し、図５は本発明の第２実施例を示したもので、以下上記実施例と同一部分には同一符号を付して説明を省略し、異なる部分についてのみ説明する。
このものは、上記実施例とは下段に配設した下かご３８の構成のみ異なり、他は共通であり、更に具体的に述べれば該下かご３８を構成するうちの食器支持部３９の構成においてのみ異なるものである。尚、図５（ａ）は下かご３８の要部を示す斜視図で、同（ｂ）は食器類をセットした状態の斜視図である。
【００３６】
しかして、図５（ａ）に示す下かご３８の要部たる左側には、底部から逆ハ字状に起立した短寸の食器支え４０を複数２列に配設していて、これら各食器支え４０は長短をなす第１，第２の支え４０ａ，４０ｂを一対として構成されている。従って、図５（ｂ）に示すようにこれら各支え４０ａ，４０ｂ間に、個々の茶わん２８ａや汁わん２８ｂが挟持されるように２列に配列支持されセットされるもので、これらの間に隙間Ｓを有するなど斯かる構成については上記実施例と実質的に共通である。
【００３７】
しかるに、本実施例では小皿３６をセットする食器支持部３９について、上記実施例とは異なる以下の構成を特徴としている。即ち、この食器支持部３９は、下かご３８の底部を形成した中央部２本の平行なワイヤを、該下かご３８の左縁部に達したところから曲成して略鉛直に起立して立ち上げた第１の支え４１ａと、その２本の延出端部と所定高さ位置（前記上方スペースＡの領域）で対向するように鈎状をなした第２の支え４１ｂとの組み合わせからなり、この第１，第２の支え４１ａ，４１ｂ間に１個の食器類を支持する食器支えを兼ねた構成としている。
【００３８】
上記構成から理解できるように、食器支持部３９は２列に配置された食器類（茶わん２８ａ、汁わん２８ｂ）の中間位置で、下かご７の最左端の縁部に立設されている。従って、図示するように当該食器支持部３９には、前記した小皿３６が１個支持される。換言すれば、本実施例では通常の下かご３８に相当する食器点数に、食器１点の増加を図った構成にあると言える。この場合、食器１点を縁部に配置する構成のため、前記した小皿３６より径大な食器類をセットすることも可能となる。
【００３９】
斯くして本実施例によれば、食器支持部３９に例えば小皿３６の１点を追加セット可能としたものであるが、その利便性は高い。即ち、下かご３８の底部にセットされた食器類（茶わん２８ａ、汁わん２８ｂ）の出し入れ等に特に支障となることもなくセットできて作業性がよく、該食器支持部３９への食器類の着脱操作も簡単にでき、例えばセットする都度、下かご３８を大きく洗浄槽４外に引き出すなどの煩わしさを伴なわない。しかも、食器支持部３９は中間位置で縁部に位置しているため、上方スペースＡ内に十分なスペース的余裕のもとに配置され、よって他の食器類の妨げとなることもなくて効果的に洗浄できるとともに、中間位置の隙間Ｓからの噴射洗浄水は殆んど支障なく上部の食器類の洗浄に寄与でき、以って全体の食器類に対する高洗浄性能も維持できる。
【００４０】
尚、本発明は上記し且つ図面に示した各実施例にのみ限定されるものではなく、例えば洗浄手段である噴射体は、複数設置して噴射洗浄水の死角をなくすようにしたり、或いは上かごを主体にした例えば固定的な噴射体を設置すれば、一層洗浄性能の向上が見込め、若干の食器点数が増加しても必要十分な洗浄効果が期待できる。
その他、食器支持部は小皿等の食器類を上方スペースを利用してセットできればよいもので、その具体的構成は種々考えられ、また食器かごの具体構成や食器類を直接支持する食器支えの形状などについても、実施に際して本発明の要旨を逸脱しない範囲内で種々変更して実施し得る。
【図面の簡単な説明】
【００４１】
【図１】本発明の第１実施例を示す要所を切断した側面図
【図２】扉を除去した状態の正面図
【図３】異なる方向から見た図１相当図
【図４】下かごの要部の平面図
【図５】本発明の第２実施例の異なる状態（ａ）及び（ｂ）を示す要部の斜視図
【符号の説明】
【００４２】
図面中、１は本体、２は外箱、３は扉、４は洗浄槽、５は洗浄機構部、６は上かご（食器かご）、７，３８は下かご（食器かご）、１２は洗浄ポンプ、１５は噴射体、及び３５，３９は食器支持部を示す。
【図１】
2005124625.tif 000003
【図２】
2005124625.tif 000004
【図３】
2005124625.tif 000005
【図４】
2005124625.tif 000006
【図５】
2005124625.tif 000007